(57)【要約】【課題】極めて軽いのみならず、極めて滑りにくく、クッション性にも極めて優れた履物を提供する。【解決手段】ポリオレフィン系樹脂を主体とする樹脂を射出成形して、履物の底１、かかと２、履物本体３を一体的に成形する。一体成形という極めて簡単な工程により、履物の底１、かかと２、履物本体３、履き口４の隣り合う部分が、射出成形による段差５として形成されている。射出成形による凹凸状の縫合線６が、射出成形による段差５に沿って形成されている。この縫合線６も一体成形という極めて簡単な工程により形成され、しかも、履物本体３や履き口４の周辺部分などに糸に代わる縫合線として形成される。樹脂中に抗菌・消臭剤を混入させておくと、履物とした時にも抗菌・消臭機能を備えたものとなる。【選択図】図１
0003159139.tif 000002
【実用新案登録請求の範囲】
【請求項１】
ポリオレフィン系樹脂を主体とする樹脂を射出成形して、履物の底、かかと、履物本体を一体的に成形して得られることを特徴とする履物。
【請求項２】
履物の底、かかと、履物本体、履き口の隣り合う部分が、射出成形による段差として形成されていることを特徴とする請求項１記載の履物。
【請求項３】
射出成形による凹凸状の縫合線が、射出成形による段差に沿って形成されていることを特徴とする請求項２記載の履物。
【請求項４】
樹脂中に抗菌・消臭剤を混入したことを特徴とする請求項１記載の履物。
【請求項５】
履物本体に通気孔を形成したことを特徴とする請求項１記載の履物。
【請求項６】
履物の底、かかと部分に、滑り止め用の凹凸模様が形成されていることを特徴とする請求項１記載の履物。
【請求項７】
履物本体の履き口の前側部分に、伸縮性を有していて履き口の幅方向に達する部材が取り付けられていることを特徴とする請求項１記載の履物。
【考案の詳細な説明】
【技術分野】
【０００１】
本考案は、ポリオレフィン系樹脂を主体とする樹脂を射出成形して、履物の底、かかと、履物本体を一体的に成形して得られた履物に関する。
【背景技術】
【０００２】
従来、予め履物の底を成形しておき、この履物の底を履物本体の射出成形と同時に一体的ならしめる技術が提案されている（例えば、特許文献１参照）。
【０００３】
この場合には、履物の底を履物本体の射出成形と同時に一工程で一体に成形することができるが、履物の底を成形する工程が別途必要であるから、全体的には二工程を必要とする。
【０００４】
そこで、本出願人は、その工程をさらに減らして一工程で履物のパーツ全てを一体的に成形することができるようにものを考案した（例えば、特許文献２参照）。
【先行技術文献】
【特許文献】
【０００５】
【特許文献１】特開昭５５−９９２０１号公報
【０００６】
【特許文献２】登録実用新案第３１１６２５３号公報
【考案の概要】
【考案が解決しようとする課題】
【０００７】
一工程で履物のパーツ全てを一体的に成形することができるようにした特許文献２記載の考案は、エチレン酢酸ビニル共重合体とエチレンプロピレンゴムを主体とする樹脂を射出成形したものである。
【０００８】
この履物は極めて軽いという特徴があるが、前記樹脂からなる履物が例えば体育館シューズのような上履きとして適用できるものとするためには、さらに滑りにくく、よりクッション性にも優れたものとすることが要求される。
本考案は、これらの要求を満たすことができる履物を提供することを目的とするものである。
【課題を解決するための手段】
【０００９】
この目的を達成するために、本考案では、ポリオレフィン系樹脂を主体とする樹脂を射出成形して、履物の底、かかと、履物本体を一体的に成形することにより履物を得る。この履物は、極めて軽いのみならず、極めて滑りにくく、クッション性にも極めて優れている。
【００１０】
履物の底、かかと、履物本体、履き口の隣り合う部分が、射出成形による段差として形成されている。この段差も一体成形という極めて簡単な工程により形成され、互いのパーツを繋ぎ合わせた場合と同じような形となる。
【００１１】
射出成形による凹凸状の縫合線が、射出成形による段差に沿って形成されている。この縫合線も一体成形という極めて簡単な工程により形成され、しかも、履物本体や履き口の周辺部分に糸に代わる縫合線として形成され、履物本体を糸で縫合した場合と同じような形になる。
【００１２】
樹脂中に抗菌・消臭剤を混入させておくとよい。樹脂中にこの抗菌・消臭剤が混入されていると、履物とした時にも抗菌・消臭機能を備えたものとなる。
【００１３】
履物本体に通気孔を形成しておくとよい。履物本体に通気孔が形成されていると、極めて通気性に優れた履物とすることができる。
【００１４】
履物の底、かかと部分に、滑り止め用の凹凸模様が形成されている。この凹凸模様も一体成形という極めて簡単な工程により形成することができる。
【００１５】
履物本体の履き口の前側部分に、伸縮性を有していて履き口の幅方向に達する部材が取り付けられている。伸縮性を有するこの部材により、着用している時にも脱げにくい。
【考案の効果】
【００１６】
請求項１記載の考案によれば、極めて軽いのみならず、極めて滑りにくく、クッション性にも極めて優れたものとすることができるという効果がある。
【００１７】
請求項２記載の考案によれば、一体成形という極めて簡単な工程により段差を形成することができ、互いのパーツを繋ぎ合わせた場合と同じような形にすることができるという効果がある。
【００１８】
請求項３記載の考案によれば、一体成形という極めて簡単な工程により縫合線を形成することができ、しかも、履物本体や履き口の周辺部分に糸に代わる縫合線として形成されるという効果がある。
【００１９】
請求項４記載の考案によれば、履物とした時にも抗菌・消臭機能を備えたものとなるという効果がある。
【００２０】
請求項５記載の考案によれば、極めて通気性に優れた履物とすることができるという効果がある。
【００２１】
請求項６記載の考案によれば、一体成形という極めて簡単な工程により、滑り止め用の凹凸模様を形成することができるという効果がある。
【００２２】
請求項７記載の考案によれば、着用している時にも脱げにくいものとすることができるという効果がある。
【図面の簡単な説明】
【００２３】
【図１】本考案による履物の一例を示す図で、(a)は側面図、(b)は底面図である。
【図２】本考案による履物の他の一例を示す図で、(a)は側面図、(b)は底面図である。
【考案を実施するための形態】
【００２４】
本考案に係る履物の一例を、図面を参照しながら詳細に説明する。ここには、体育館シューズのような上履きとして適用した場合を例に挙げて本考案を説明するが、それのみに限定されないことは当然である。
本考案においては、ポリオレフィン系樹脂を主体とする樹脂を射出成形して、履物の底１、かかと２、履物本体３を一体的に成形することにより履物Ａ、Ｂを得る。この履物Ａ、Ｂは、極めて軽いのみならず、極めて滑りにくく、クッション性にも極めて優れている。
【００２５】
ポリオレフィン系樹脂にエチレンプロピレンゴム（ＥＰＲ）を混入することができ、さらに、これらからなる樹脂に架橋剤と発泡剤とを適量添加することが望ましい。そして、混練調整したこの樹脂混和物を射出成形機に供給して発泡剤の分解温度以下で溶融混練し、この溶融混練樹脂混和物を発泡剤の分解温度以上に加熱した金型に注入する。
すると、金型内で前記溶融混練樹脂混和物が成形され、この成形物を金型から開放して発泡膨張させれば、図１、図２に示すような履物Ａ、Ｂを得ることができる。
【００２６】
履物Ａ、Ｂの甲皮３ａを含む履物本体３の表面は全体にわたってザラザラした面（梨地）に仕上げられている。このようにするには、成形用金型のキャビティ面をザラザラにしておけば良い。そうすると、成形物を金型から開放した時、履物本体３の表面が全体にわたって自然にザラザラした面（梨地）になり、つるつるしたものと比べて趣の異なるものとなる。
【００２７】
この履物Ａ、Ｂの底１、かかと２、甲革３ａを含む履物本体３、履き口４の互いに隣り合う部分が、射出成形による段差５として形成されている。この段差５も一体成形という極めて簡単な工程により形成され、図１(a)及び図２(a)に示すように、各部分を互いに繋ぎ合わせた場合と同じような形になる。
【００２８】
そして、射出成形による凹凸状の縫合線６が、射出成形による段差５に沿って形成されている。この縫合線６も一体成形という極めて簡単な工程により形成され、しかも、各部分を互いに繋ぎ合わせた部分に糸に代わる縫合線として形成され、各部分を糸で縫合した場合と同じような形になる。
【００２９】
樹脂中に抗菌・消臭剤を混入させておくとよい。樹脂中にこの抗菌・消臭剤が混入されていると、履物とした時にも抗菌・消臭機能を備えたものとなる。
【００３０】
図２に示す履物Ｂの甲皮３ａには通気孔７が形成されている。通気孔７が形成されていると、通気孔が形成されていない図１に示す履物Ａに比べて、一層通気性に優れたものとなる。
【００３１】
履物Ａ、Ｂの底１、かかと２部分には、滑り止め用の凹凸模様８が形成されている。この凹凸模様８も一体成形という極めて簡単な工程により形成することができる。この凹凸模様８は、例えば、図１(b)に示す場合や図２(b)に示す場合のように、様々な形とすることができる。
【００３２】
履物本体３の履き口４の前側部分に、伸縮性を有していて履き口４の幅方向に達する部材９が取り付けられている。伸縮性を有するこの部材９により、着用している時にも脱げにくい。伸縮性を有するこの部材９は、図１(a)に示すような帯状としてもよいし、図２(a)に示すような形にしてもよい。
【００３３】
このように、履物の底１、かかと２、甲皮３ａを含む履物本体３を全て一体的に成形することにより得られた履物Ａ、Ｂは、極めて軽いのみならず、極めて滑りにくく、クッション性にも極めて優れている。しかも、従来の場合のようにパーツの接合部分や糸による縫合部分からの水の侵入を完全に防止できる。
【産業上の利用可能性】
【００３４】
ここには、体育館シューズのような上履きに本考案を適用した場合を例示したが、ごく普通の短靴とすることもでき、また、それよりも背の高い形式のブーツや長靴のような長い履物にも充分適用できる。
【符号の説明】
【００３５】
１…底、２…かかと、３…履物本体、３ａ…甲皮、４…履き口、５…段差、６…凹凸状の縫合線、７…通気孔、８…滑り止め用の凹凸模様、９…伸縮性を有する部材、Ａ、Ｂ…履物。
【図１】
0003159139.tif 000003
【図２】
0003159139.tif 000004
【手続補正書】
【提出日】平成22年3月2日(2010.3.2)
【手続補正１】
【補正対象書類名】明細書
【補正対象項目名】全文
【補正方法】変更
【補正の内容】
【考案の詳細な説明】
【技術分野】
【０００１】  本考案は、ポリオレフィン系樹脂を主体とする樹脂の射出成形品であって、履物の底、かかと、履物本体が一体的である履物に関する。
【背景技術】
【０００２】従来、予め履物の底を成形しておき、この履物の底を履物本体の射出成形と同時に一体的ならしめる技術が提案されている（例えば、特許文献１参照）。【０００３】  この場合には、履物の底を履物本体の射出成形と同時に一工程で一体に成形することができるが、履物の底を成形する工程が別途必要であるから、全体的には二工程を必要とする。【０００４】  そこで、本出願人は、その工程をさらに減らして一工程で履物のパーツ全てを一体的に成形することができるようにものを考案した（例えば、特許文献２参照）。
【先行技術文献】
【特許文献】
【０００５】
【特許文献１】特開昭５５−９９２０１号公報
【０００６】
【特許文献２】登録実用新案第３１１６２５３号公報
【考案の概要】
【考案が解決しようとする課題】
【０００７】  一工程で履物のパーツ全てを一体的に成形することができるようにした特許文献２記載の考案は、エチレン酢酸ビニル共重合体とエチレンプロピレンゴムを主体とする樹脂を射出成形したものである。【０００８】  この履物は極めて軽いという特徴があるが、前記樹脂からなる履物が例えば体育館シューズのような上履きとして適用できるものとするためには、さらに滑りにくく、よりクッション性にも優れたものとすることが要求される。  本考案は、これらの要求を満たすことができる履物を提供することを目的とするものである。
【課題を解決するための手段】
【０００９】  この目的を達成するために、本考案による履物は、ポリオレフィン系樹脂を主体とする樹脂の射出成形品であって、履物の底、かかと、履物本体が一体的であることを特徴とするものである。この履物は、極めて軽いのみならず、極めて滑りにくく、クッション性にも極めて優れている。【００１０】  履物の底、かかと、履物本体、履き口の隣り合う部分が、段差として形成されている。この段差も一体成形という極めて簡単な工程により形成され、互いのパーツを繋ぎ合わせた場合と同じような形となる。【００１１】  凹凸状の縫合線が、段差に沿って形成されている。この縫合線も一体成形という極めて簡単な工程により形成され、しかも、履物本体や履き口の周辺部分に糸に代わる縫合線として形成され、履物本体を糸で縫合した場合と同じような形になる。【００１２】  樹脂中に抗菌・消臭剤を混入させておくとよい。樹脂中にこの抗菌・消臭剤が混入されていると、履物とした時にも抗菌・消臭機能を備えたものとなる。【００１３】  履物本体に通気孔を形成しておくとよい。履物本体に通気孔が形成されていると、極めて通気性に優れた履物とすることができる。【００１４】  履物の底、かかと部分に、滑り止め用の凹凸模様が形成されている。この凹凸模様も一体成形という極めて簡単な工程により形成することができる。【００１５】  履物本体の履き口の前側部分に、伸縮性を有していて履き口の幅方向に達する部材が取り付けられている。伸縮性を有するこの部材により、着用している時にも脱げにくい。
【考案の効果】
【００１６】  請求項１記載の考案によれば、極めて軽いのみならず、極めて滑りにくく、クッション性にも極めて優れたものとすることができるという効果がある。【００１７】  請求項２記載の考案によれば、一体成形という極めて簡単な工程により段差を形成することができ、互いのパーツを繋ぎ合わせた場合と同じような形にすることができるという効果がある。【００１８】  請求項３記載の考案によれば、一体成形という極めて簡単な工程により縫合線を形成することができ、しかも、履物本体や履き口の周辺部分に糸に代わる縫合線として形成されるという効果がある。【００１９】  請求項４記載の考案によれば、履物とした時にも抗菌・消臭機能を備えたものとなるという効果がある。【００２０】  請求項５記載の考案によれば、極めて通気性に優れた履物とすることができるという効果がある。【００２１】  請求項６記載の考案によれば、一体成形という極めて簡単な工程により、滑り止め用の凹凸模様を形成することができるという効果がある。【００２２】  請求項７記載の考案によれば、着用している時にも脱げにくいものとすることができるという効果がある。
【図面の簡単な説明】
【００２３】
【図１】本考案による履物の一例を示す図で、(a)は側面図、(b)は底面図である。
【図２】本考案による履物の他の一例を示す図で、(a)は側面図、(b)は底面図である。
【考案を実施するための形態】
【００２４】  本考案に係る履物の一例を、図面を参照しながら詳細に説明する。ここには、体育館シューズのような上履きとして適用した場合を例に挙げて本考案を説明するが、それのみに限定されないことは当然である。  本考案による履物Ａ、Ｂは、ポリオレフィン系樹脂を主体とする樹脂の射出成形品であって、履物の底１、かかと２、履物本体３が一体的である。この履物Ａ、Ｂは、極めて軽いのみならず、極めて滑りにくく、クッション性にも極めて優れている。
【００２５】  ポリオレフィン系樹脂にエチレンプロピレンゴム（ＥＰＲ）を混入することができ、さらに、これらからなる樹脂に架橋剤と発泡剤とを適量添加することが望ましい。そして、混練調整したこの樹脂混和物を射出成形機に供給して発泡剤の分解温度以下で溶融混練し、この溶融混練樹脂混和物を発泡剤の分解温度以上に加熱した金型に注入する。すると、金型内で前記溶融混練樹脂混和物が成形され、この成形物を金型から開放して発泡膨張させれば、図１、図２に示すような履物Ａ、Ｂを得ることができる。
【００２６】  履物Ａ、Ｂの甲皮３ａを含む履物本体３の表面は全体にわたってザラザラした面（梨地）に仕上げられている。このようにするには、成形用金型のキャビティ面をザラザラにしておけば良い。そうすると、成形物を金型から開放した時、履物本体３の表面が全体にわたって自然にザラザラした面（梨地）になり、つるつるしたものと比べて趣の異なるものとなる。
【００２７】  この履物Ａ、Ｂの底１、かかと２、甲革３ａを含む履物本体３、履き口４の互いに隣り合う部分が、段差５として形成されている。この段差５も一体成形という極めて簡単な工程により形成され、図１(a)及び図２(a)に示すように、各部分を互いに繋ぎ合わせた場合と同じような形になる。
【００２８】  そして、射出成形による凹凸状の縫合線６が、段差５に沿って形成されている。この縫合線６も一体成形という極めて簡単な工程により形成され、しかも、各部分を互いに繋ぎ合わせた部分に糸に代わる縫合線として形成され、各部分を糸で縫合した場合と同じような形になる。
【００２９】  樹脂中に抗菌・消臭剤を混入させておくとよい。樹脂中にこの抗菌・消臭剤が混入されていると、履物とした時にも抗菌・消臭機能を備えたものとなる。
【００３０】  図２に示す履物Ｂの甲皮３ａには通気孔７が形成されている。通気孔７が形成されていると、通気孔が形成されていない図１に示す履物Ａに比べて、一層通気性に優れたものとなる。
【００３１】  履物Ａ、Ｂの底１、かかと２部分には、滑り止め用の凹凸模様８が形成されている。この凹凸模様８も一体成形という極めて簡単な工程により形成することができる。この凹凸模様８は、例えば、図１(b)に示す場合や図２(b)に示す場合のように、様々な形とすることができる。
【００３２】  履物本体３の履き口４の前側部分に、伸縮性を有していて履き口４の幅方向に達する部材９が取り付けられている。伸縮性を有するこの部材９により、着用している時にも脱げにくい。伸縮性を有するこの部材９は、図１(a)に示すような帯状としてもよいし、図２(a)に示すような形にしてもよい。
【００３３】  このように、履物の底１、かかと２、甲皮３ａを含む履物本体３を全て一体的に成形することにより得られた履物Ａ、Ｂは、極めて軽いのみならず、極めて滑りにくく、クッション性にも極めて優れている。しかも、従来の場合のようにパーツの接合部分や糸による縫合部分からの水の侵入を完全に防止できる。
【産業上の利用可能性】
【００３４】  ここには、体育館シューズのような上履きに本考案を適用した場合を例示したが、ごく普通の短靴とすることもでき、また、それよりも背の高い形式のブーツや長靴のような長い履物にも充分適用できる。
【符号の説明】
【００３５】１…底、２…かかと、３…履物本体、３ａ…甲皮、４…履き口、５…段差、６…凹凸状の縫合線、７…通気孔、８…滑り止め用の凹凸模様、９…伸縮性を有する部材、Ａ、Ｂ…履物。
【手続補正２】
【補正対象書類名】実用新案登録請求の範囲
【補正対象項目名】全文
【補正方法】変更
【補正の内容】
【実用新案登録請求の範囲】
【請求項１】
ポリオレフィン系樹脂を主体とする樹脂の射出成形品であって、履物の底、かかと、履物本体が一体的であることを特徴とする履物。
【請求項２】
履物の底、かかと、履物本体、履き口の隣り合う部分が、段差として形成されていることを特徴とする請求項１記載の履物。
【請求項３】
凹凸状の縫合線が、段差に沿って形成されていることを特徴とする請求項２記載の履物。
【請求項４】
樹脂中に抗菌・消臭剤を混入したことを特徴とする請求項１記載の履物。
【請求項５】
履物本体に通気孔を形成したことを特徴とする請求項１記載の履物。
【請求項６】
履物の底、かかと部分に、滑り止め用の凹凸模様が形成されていることを特徴とする請求項１記載の履物。
【請求項７】
履物本体の履き口の前側部分に、伸縮性を有していて履き口の幅方向に達する部材が取り付けられていることを特徴とする請求項１記載の履物。